(57)【要約】【課題】折り畳み式の筐体を薄型化して表示部が大きく折り畳み時に表示部の一部表示が可能な低コストで簡単な構造の携帯無線機を提供する。【解決手段】表示部１２を有する第１筐体１０ａに第２筐体１０ｂを回転可能に連結した折り畳み式の携帯無線機であって、第１筐体１０ａに折り畳んで重なる第２筐体１０ｂに表示部１２の一部の情報を外周側から映し見る反射面１４を設ける。また、表示部１２は、第１筐体１０ａ及び第２筐体１０ｂを折り畳んだ際、一部の情報の左右を反転させて表示する。また、第１筐体１０ａには、表示部１２の近傍に発光素子１３を設け、第２筐体１０ｂの反射面１４に映して一部の情報とともに表示する。また、反射面１４には、表示部１２から一部映した情報を拡大するレンズ部材１６を覆設する。【選択図】　　　図１
2004007263.tif 000002
【特許請求の範囲】
【請求項１】
表示部を有する第１筐体に第２筐体を回転可能に連結した折り畳み式の携帯無線機において、
前記第１筐体に折り畳んで重なる前記第２筐体に前記表示部の一部の情報を外周側から映し見る反射面を設けたことを特徴とする携帯無線機。
【請求項２】
請求項１に記載の携帯無線機において、
前記第１及び第２筐体を折り畳んだ際、前記一部の情報の方向を補正して前記表示部に表示することを特徴とする携帯無線機。
【請求項３】
請求項２に記載の携帯無線機において、
前記第１及び第２筐体を折り畳んだ際、前記一部の情報の表示部での表示は、着信してから一定時間の間に制限するようにしたことを特徴とする携帯無線機。
【請求項４】
請求項１乃至３のいずれかに記載の携帯無線機において、
前記第１筐体には、前記表示部の近傍に発光素子を設け、前記第２筐体の反射面に映して前記一部の情報とともに表示することを特徴とする携帯無線機。
【請求項５】
請求項１乃至４のいずれかに記載の携帯無線機において、
前記反射面には、前記一部の情報を拡大するレンズ部材を覆設したことを特徴とする携帯無線機。
【請求項６】
請求項１乃至５のいずれかに記載の携帯無線機において、
前記反射面は、金属、ガラス、セラミックスのうちいずれか一種からなることを特徴とする携帯無線機。
【発明の詳細な説明】
【０００１】
【発明の属する技術分野】
本発明は携帯無線機に係り、より詳細には、携帯電話機などの二つ折り型の筐体を折り畳んだ時に内部に収納される表示部の情報を外部に表示可能にした携帯無線機に関する。
【０００２】
【従来の技術】
従来、例えば、携帯電話機などの折り畳み式の携帯無線機は、折り畳み時に所定情報を表示可能とするため、種々の構造を有するものが提案されている。このような表示構造を備える従来技術としては、例えば、特開平１０−５１５２９号公報などに開示されている。図６は、このように折り畳み時の表示が可能な携帯電話機に採用した従来の携帯無線機の一実施形態を示す斜視図である。また、図７は、図６に示した携帯無線機を折り畳んだ状態を示す斜視図である。また、図８は、図６に示した表示手段２４を詳細に示す斜視図である。また、図９は、図８に示した表示手段２４による表示動作を示す斜視図である。
【０００３】
図６に示すように、従来の携帯無線機の一実施形態は、折り畳み式の携帯電話機に採用し、この携帯電話機の外装を第１筐体２０ａ及び第２筐体２０ｂで構成しており、この第１筐体２０ａと第２筐体２０ｂとをヒンジ部２１により回動自在に結合して折り畳み式の構造に形成している。
【０００４】
ここで、第２筐体２０ｂのヒンジ部２１と対向する先端部には、着信表示などの情報を表示する表示面２４ａを有した表示手段２４を備えている。この表示手段２４は、図７に示すように、第１筐体２０ａに重ねて折り畳む第２筐体２０ｂの先端に配置した第一外部表示面２４ｂと、これに直交する第二外部表示面２４ｃとを各々露出させて設けている。そして、表示手段２４は、図８に示すように、表示面２４ａ、第一外部表示面２４ｂ、及び第二外部表示面２４ｃ以外の表面に表示部２２を備え、この表示部２２と第一外部表示面２４ｂとの間に透過反射面２４ｄ、２４ｅをＶ字状に配置している。
【０００５】
このような従来の携帯無線機の一実施形態は、図９に示すように、表示部２２で所定の情報Ｂ（図９では時間１２：００）を表示した場合、この情報Ｂが表示手段２４内に透過して透過反射面２４ｄ、２４ｅで反射することで、表示面２４ａ及び第二外部表示面２４ｃに各々反射情報Ｃ、Ｄを表示する。一方、第一外部表示面２４ｂには、透過反射面２４ｄ、２４ｅが情報Ｂを透過するため、この情報Ｂを第２筐体２０ｂの先端面側に直接表示できる。従って、第１筐体２０ａ及び第２筐体２０ｂを開いた状態では、図６に示したように、表示面２４ａに反射情報Ｃを表示して視認させる。さらに、第１筐体２０ａ及び第２筐体２０ｂを折り畳んだ状態では、図７に示すように、第一外部表示面２４ｂと第二外部表示面２４ｃとに各々情報Ｂ及び反射情報Ｄを表示して視認させることができる。
【０００６】
このように、従来の携帯無線機は、第２筐体２０ｂ内の表示部２２に透過反射面２４ｄ、２４ｅをＶ字状に配置した表示手段２４を設けることで、第１筐体２０ａ及び第２筐体２０ｂの折り畳み時に第一外部表示面２４ｂと第二外部表示面２４ｃとにより表示部２２の情報を表示できるように形成していた。
【０００７】
【発明が解決しようとする課題】
しかしながら、このような従来の携帯無線機では、図９に示した第２筐体２０ｂの厚み方向に表示手段２４の第一外部表示面２４ｂと、これに対向する表示部２２とを立設するため、筐体の薄型化が困難であるとともに、図６に示した筐体を開いた際に情報を表示する表示面２４ａが小さく、例えば、別途表示部を設けるとコストがかかるという不具合があった。
また、従来の携帯無線機では、前述した表示部２２と表示手段２４とを備えることで、図６に示したように、第２筐体２０ｂ内の先端に配置スペースを確保して外形を突出させるとともに、この突出した先端に合わせて第１筐体２０ａを一部凹状に形成する複雑な構造が必要になる。
さらに、透過反射面２４ｄ、２４ｅを透過及び反射された光は表示部２２から出た光の数十％がそれぞれ分光されたものであるため、各表示面２４ａ、２４ｂ、２４ｃに映し出される情報を明確に表示させるためには表示部２２の輝度を高めなければならず、その結果、電力消費が多くなるといった不具合もあった。
本発明はこのような課題を解決し、折り畳み式の筐体を薄型化して表示部が大きく折り畳み時に表示部の一部表示が可能な低コストで簡単な構造の携帯無線機を提供することを目的とする。
【０００８】
【課題を解決するための手段】
本発明は上述の課題を解決するために、表示部を有する第１筐体に第２筐体を回転可能に連結した折り畳み式の携帯無線機であって、第１筐体に折り畳んで重なる前記第２筐体に表示部の一部の情報を外周側から映し見る反射面を設ける。
ここで、第１及び第２筐体を折り畳んだ際、一部の情報の方向を補正して表示部に表示することが好ましい。また、第１及び第２筐体を折り畳んだ際、一部の情報の表示部での表示は、着信してから一定時間の間に制限することが好ましい。また、第１筐体には、表示部の近傍に発光素子を設け、第２筐体の反射面に映して一部の情報とともに表示することが好ましい。また、反射面には、一部の情報を拡大するレンズ部材を覆設することが好ましい。また、反射面は、金属、ガラス、セラミックスのうちいずれか一種からなることが好ましい。
【０００９】
【発明の実施の形態】
次に、添付図面を参照して本発明による携帯無線機の実施の形態を詳細に説明する。図１は、本発明による携帯無線機の一実施形態を示す斜視図である。また、図２は、図１に示した携帯無線機を折り畳んだ状態を示す斜視図である。また、図３は、図２に示したＡ−Ａ線の断面を示す図である。また、図４は、本発明の携帯無線機の主要部の他の実施例を示す図である。また、図５は、図１に示した携帯電話機を折り畳んだ時の表示部１２の時間情報を示す図である。
【００１０】
図１に示すように、本発明による携帯無線機の一実施形態は、図６に示した従来技術と同様に、折り畳み式の携帯電話機に採用しており、この携帯電話機の外装筐体１０を第１筐体１０ａ及び第２筐体１０ｂにより構成し、第１筐体１０ａと第２筐体１０ｂとをヒンジ部１１により回動自在に結合して折り畳み式の構造に形成している。この第１筐体１０ａは、図６に示した従来技術とは異なり、第２筐体１０ｂと重なるように折り畳む内側面に大型の表示部１２を配置して所定情報を表示できるように形成している。また、第２筐体１０ｂの第１筐体１０ａとの対向面１７及び端面１８とで構成される外周端の一部または全周（図１では先端一部）に切欠き部を設け、この切欠き部底面を反射面１４とするとともに、反射面１４を対向面１７に対して傾斜させて配置することで、表示部１２の一部の情報を外周側から映し見ることができるようにしてある。従って、本実施形態は、表示部と表示手段とを同じ筐体内に設ける従来技術とは異なり、所定情報を表示する表示部１２と折り畳み時に表示する反射面１４とを分けて第１筐体１０ａ及び第２筐体１０ｂに各々配置した構造に形成している。なお、反射面１４は、平滑かつ平坦で鏡面に仕上げられており、全反射させることができるようになっている。
【００１１】
ここで、第１筐体１０ａには、表示部１２の上部近傍にＬＥＤなどからなる発光素子１３を設け、第２筐体１０ｂの反射面１４に映して表示部１２の一部の情報を表示できるように配置している。また、表示部１２は、図２に示すように、第１筐体１０ａ及び第２筐体１０ｂを折り畳んだ際、表示した情報の左右を反転させて表示する機能（図５参照）を備えている。また、第１筐体１０ａ及び第２筐体１０ｂの折り畳み時に着信があった場合、表示部１２には一部の情報として発呼者名や発呼者の電話番号等が表示され、一定時間経過後には表示を止め、電力消費を低減できるように形成している。
【００１２】
また、第２筐体１０ｂの反射面１４は、ステンレス等の金属、セラミックス、ガラスのいずれか一種の材質からなり、バルク体又は塗装、メッキなどの処理により形成してある。この反射面１４には、傷、破損などを防止するとともに、表示部１２から一部映した情報を拡大する透明ガラス、透光性セラミックス、透明樹脂、単結晶アルミナなどからなるレンズ部材１６を覆設している。なお、情報を拡大する必要がない場合、レンズ部材１６と同様の材質からなる光透過性を有する保護部材を設けても構わない。ただし、反射面１４の傷付きを効果的に防止するためには、レンズ部材１６又は保護部材は高硬度を有する透光性セラミックスや単結晶アルミナにより形成することが好ましい。また、反射面１４は、第２筐体１０ｂに固定または回動可能に軸支して所定の角度に配置するとともに、着脱可能に設けて平坦状、凹状、凸状、曲面状などの面形状を使用状況に合わせて選択的に入れ替えて使用することも可能である。さらに、反射面１４は、第２筐体１０ｂのヒンジ部１１と反対側の端部に設けた実施例を説明したが、これに限定されず、例えば、第２筐体１０ｂの第１筐体１０ａとの対向面１７及び側面１９とで構成される外周端に配置することも可能である。
【００１３】
このように形成された本発明による携帯無線機の一実施形態は、図１に示したように、第１筐体１０ａ及び第２筐体１０ｂを開いて使用する場合、通信状況、バッテリ状況、所定の設定状況などの種々の情報を表示部１２に大きく表示し、使用者が容易に視認して特定の操作を行えるようにする。一方、特定の操作が終了して第１筐体１０ａ及び第２筐体１０ｂを折り畳んだ場合、常時表示したい情報、例えば、時間情報（図１に示した１４：５９）を第２筐体１０ｂの反射面１４に映すことで、第２筐体１０ｂの外周側よりレンズ部材１６を介して拡大して映し見ることができる。また、着信があった場合には、例えば、発呼者の電話番号あるいは予め登録してある発呼者名等を表示させることができる。この情報は、表示部１２で一定時間表示した後、自動的消灯させることで電力消費を低減する。
【００１４】
また、第１筐体１０ａは、表示部１２の上部に発光素子１３（図１参照）を設けているため、例えば、着信時に点灯または点滅などの発光を行うことで、レンズ部材１６内を発光させて使用者に着信中であることを知らせる。従って、本実施の形態は、図３に示すように、反射面１４を第２筐体１０ｂに設けてレンズ部材１６を覆設した簡単な構造により、第１筐体１０ａ及び第２筐体１０ｂの厚みを薄く維持した状態で、表示部１２の表示に加えて発光素子１３の光を反射面１４に反射させて種々の表示を可能にしている。ここで、第２筐体１０ｂの切欠き部に反射面１４を設けてレンズ部材１６を覆設した実施例を説明したが、これに限定するものではなく、例えば、図４に示すように、第２筐体１０ｂ内に予め反射面１４を内蔵して表示部１２の情報を透過する透過窓２と、この情報が反射して表示される表示窓１とを各々設けても同様の効果が得られる。
【００１５】
ところで、表示部１２は、所定の数字、文字、図形、記号などの一部の情報を反射面１４に映す場合、例えば、一部の情報が時間情報（１４：５９）である場合、筐体１０の折り畳み時には、図５に示すように、表示部１２の一部の情報の左右を反転させる。この時、第１筐体１０ａまたは第２筐体１０ｂのいずれか一方或いは両方には、折り畳み時の状態を感知するセンサ部（図示せず）を設けており、このセンサ部の感知情報に基づいて表示部１２の表示を反転させる補正を行い反射面１４に映している。これにより本実施の形態は、第１筐体１０ａ及び第２筐体１０ｂを折り畳んだ際、レンズ部材１６を介して良好に表示でき、使用者の胸ポケットに入れた状態、机の上に置いた状態でも容易に表示情報を確認できるとともに、特に、表示部１２がカラーであれば、カラー表示が可能になり視認性が向上する。なお、本実施の形態では、筐体１０の折り畳み時に、表示部１２の一部の情報の左右を反転させる実施例を示したが、一部の情報の上下を反転させるようにしても構わない。
【００１６】
このように本発明による携帯無線機の一実施形態によると、反射面１４を設けた簡単な構造により折り畳み時の表示が可能になるため、筐体１０を薄型に維持できるとともに、表示部１２を大きく設けることができ、別途表示部を設けることなく安価に製造することができる。
また、本発明による携帯無線機の一実施形態によると、前述した反射面１４を設けた簡単な構造により、第１筐体１０ａ及び第２筐体１０ｂを複雑な構造にする必要がないため、既存の筐体を大幅に改造することなく容易に適用することができる。
また、本発明による携帯無線機の一実施形態によると、表示部１２の近傍にＬＥＤなどの発光素子１３を更に設けることで、表示部１２の表示に加えて別途着信などの種々の表示を可能にして視認性を向上することができる。
さらに、反射面１４では光を全反射させることができるため、表示部１２の一部の情報をロスなく表示させることができ、それ故、表示部１２の輝度をさらに高める必要もないことから、電力消費を低減することができる。
【００１７】
以上、本発明による携帯無線機の実施の形態を詳細に説明したが、本発明は前述した実施の形態に限定されるものではなく、その要旨を逸脱しない範囲で変更可能である。
例えば、携帯電話機に採用した携帯無線機の実施形態を説明したが、これに限定されるものではなく、ＰＨＳ電話機などの携帯無線機にも採用することができる。
また、表示部の時間情報を反射面に映した実施例を説明したが、これに限定されるものではなく、例えば、数字、文字、図、記号などにより電波状況、バッテリ状況、日付、発呼者名、発呼者の電話番号などの情報も表示することができる。
【００１８】
【発明の効果】
このように本発明による携帯無線機によれば、反射面を設けた簡単な構造により折り畳み時の表示が可能なため、筐体を薄型に維持するとともに表示部を大きく設けることができ、別途表示部を設ける必要がなく安価に製造することができる。
また、本発明による携帯無線機によれば、反射面を設けた簡単な構造により、第１筐体及び第２筐体を複雑な構造にする必要がないため、筐体の外形を大幅に改造することなく容易に適用することができる。
さらに、反射面１４では光を全反射させることができるため、表示部１２の一部の情報をロスなく表示させることができ、それ故、表示部１２の輝度をさらに高める必要もないことから、電力消費を低減することができる。
【図面の簡単な説明】
【図１】本発明による携帯無線機の一実施形態を示す斜視図である。
【図２】図１に示した携帯無線機を折り畳んだ状態を示す斜視図である。
【図３】図２に示したＡ−Ａ線の断面を示す図である。
【図４】本発明の携帯無線機の主要部の他の実施例を示す図である。
【図５】図１に示した携帯無線機を折り畳んだ時の表示部の時間情報を示す図である。
【図６】従来の携帯無線機の一実施形態を示す斜視図である。
【図７】図６に示した携帯無線機を折り畳んだ状態示す斜視図である。
【図８】図６に示した表示手段を詳細に示す斜視図である。
【図９】図８に示した表示手段による表示動作を示す斜視図である。
【符号の説明】
１０　　筐体
１０ａ　第１筐体
１０ｂ　第２筐体
１１　　ヒンジ部
１２　　表示部
１３　　発光素子
１４　　反射面
１６　　レンズ部材
【図１】
2004007263.tif 000003
【図２】
2004007263.tif 000004
【図３】
2004007263.tif 000005
【図４】
2004007263.tif 000006
【図５】
2004007263.tif 000007
【図６】
2004007263.tif 000008
【図７】
2004007263.tif 000009
【図８】
2004007263.tif 000010
【図９】
2004007263.tif 000011